(57)【要約】【課題】撒き餌容器について、そのキャップを右回りに回転させる場合と左回りに回転させる場合とで、形成される魚の餌の放出口の開口形状および開口面積が異なるようにする。【解決手段】撒き餌容器１の蓋体２０の内放出口２１とキャップ３０の外放出口３１を、周方向に対して互いに左右反転した形状とする。内放出口２１と外放出口３１の周方向の中心線が合致した状態から、キャップ３０を右回りに回転させて形成される放出口と、左回りに同角度回転させて形成される放出口とで、開口形状および開口面積が異なる。海の状態や釣りたい魚の種類などに応じて、放出口の開口形状および開口面積に変化をつけることが容易であり、所望の放出速度や放出範囲で魚の餌を散布することが可能である。【選択図】図１
2014117215.tif 000002
【特許請求の範囲】
【請求項１】
開閉可能な餌の投入口を有して、その投入口の開放時に投入口を通じて内部に魚の餌を投入することが可能な略円筒形の容器本体１０と、
前記容器本体１０の両端部に連設されて、その少なくとも一方に、周面に開口する内放出口２１を有する一対の蓋体２０と、
前記内放出口２１を有する蓋体２０に対して周方向に回転操作可能に被せられて取り付けられ、その周面に開口する外放出口３１を有する前記蓋体２０と略相似形のキャップ３０と、を備え、
前記キャップ３０の回転操作により、前記蓋体２０の内放出口２１と前記キャップ３０の外放出口３１が少なくとも部分的に重なり合う位置でその重なり合う位置に形成される放出口を通じて容器本体１０に収納された魚の餌が外部へと放出可能となり、
かつ前記蓋体２０の内放出口２１と前記キャップ３０の外放出口３１の少なくとも一方は、周方向に対して左右非対称形であり、その内放出口２１の周方向の中心線とその外放出口３１の周方向の中心線とが合致した状態から、前記キャップ３０を右回りに所定角度回転させてその外放出口３１と前記蓋体２０の内放出口２１が部分的に重なり合うことで形成される放出口の開口形状と、前記キャップ３０を左回りに前記右回りの回転角度と同角度回転させてその外放出口３１と前記蓋体２０の内放出口２１が部分的に重なり合うことで形成される放出口の開口形状とが、異なっている撒き餌容器。
【請求項２】
前記蓋体２０の内放出口２１と前記キャップ３０の外放出口３１とは、周方向に左右が反転した形状となっている、請求項１に記載の撒き餌容器。
【請求項３】
前記蓋体２０の内放出口２１の周方向に対する垂直方向への開口幅は、その周方向の左回りまたは右回りに連続的に単調増加しており、
前記キャップ３０の外放出口３１の周方向に対する垂直方向への開口幅は、その周方向の前記蓋体２０と同一方向に向けて連続的に単調減少している、請求項２に記載の撒き餌容器。
【請求項４】
前記キャップ３０は、前記蓋体２０に対して前記容器本体１０の軸方向に移動可能に取り付けられており、かつばね３４により前記容器本体１０に接近する方向に付勢されており、
前記キャップ３０はその周縁に歯３２を有し、
前記容器本体１０は前記蓋体２０が連設された端部の周縁に前記キャップ３０の歯３２と係合可能な歯１１ｄを有する、請求項１から３のいずれかに記載の撒き餌容器。
【発明の詳細な説明】
【技術分野】
【０００１】
本発明は、魚釣りの際に魚の餌を散布する撒き餌容器に関する。
【背景技術】
【０００２】
船上などからの魚釣りの際に、水没させることで魚の餌を水中で徐々に散布して魚を釣竿の近くへとおびき寄せるために用いられる道具として、特許文献１のような撒き餌容器が知られている。
特許文献１の撒き餌容器は、略円筒形の容器本体と、容器本体の両端部にそれぞれ連設された略円錐形の一対の蓋体と、各蓋体に回転操作可能に被せられた蓋体とほぼ相似形のキャップと、を備える。
【０００３】
容器本体は、内側の内筒と、内筒に被せられた外側の外筒の二重構造からなり、内筒に対して外筒は周方向に回転操作可能となっている。
また内筒の周面には平面視で略矩形の内投入口が形成され、外筒の周面には内投入口とほぼ相似形の外投入口が形成されている。外筒を内筒に対して回転させ、その外投入口が内筒の内投入口に重なり合うことで容器本体の周面に開放される投入口を通じて、容器本体の内部にオキアミ等の魚の餌を投入可能となっている。また魚の餌を収納した後は、再び外筒を内筒に対して回転させ、その外投入口が内筒の内投入口に重なり合わないようにして、撒き餌容器を水没させる前に、容器本体の周面を閉塞しておくものとする。
【０００４】
一方、各蓋体の周面には内放出口が形成され、各キャップの周面には内放出口とほぼ相似形の外放出口が形成されている。キャップを蓋体に対して回転させ、その外放出口が蓋体の内放出口に重なり合うことで放出口を形成し、水没させた撒き餌容器から放出口を通じて魚の餌を放出可能となっている。
撒き餌容器からの魚の餌の放出範囲や放出速度は、放出口の開口形状や開口面積に依存する。そのため、蓋体の内放出口とキャップの外放出口との重なり合う範囲をあらかじめ調整しておくことで、所望の範囲や速度で魚の餌を散布することが可能となる。
【０００５】
ここで従来の撒き餌容器では、その蓋体の内放出口およびキャップの外放出口の形状が、その中心線（対称線）が蓋体やキャップの周面の傾斜方向と一致する略等脚台形や略二等辺三角形であるなど、いずれも蓋体やキャップの周方向に対して左右対称形であった（特許文献１の図１等参照）。
このように内放出口や外放出口の形状が左右対称形であると、たとえばその内放出口と外放出口の周方向の中心線を合致させた状態から、キャップを右回りと左回りにそれぞれ同じ角度だけ回転させた場合に、外放出口と内放出口が部分的に重なり合うことで形成される放出口の開口形状は回転方向にかかわらず常に等しく、したがってその開口面積は常に等しい。
このように、キャップを左回りと右回りのいずれの方向に回転させても、その外放出口と内放出口の中心線が合致した状態からの回転角度が等しい限りは、撒き餌容器の放出口の開口形状や開口面積は常に等しくなってしまう。したがって従来の撒き餌容器では、放出口の開口形状や開口面積に変化をつけにくい問題があった。
【先行技術文献】
【特許文献】
【０００６】
【特許文献１】実開平７−１８５７１号公報
【発明の概要】
【発明が解決しようとする課題】
【０００７】
そこで本発明の解決すべき課題は、撒き餌容器について、そのキャップを右回りに回転させる場合と左回りに回転させる場合とで、形成される放出口の開口形状および開口面積が異なるようにすることである。
【課題を解決するための手段】
【０００８】
上記した課題を解決するため、発明にかかる撒き餌容器では、蓋体の内放出口とキャップの外放出口の少なくとも一方を、その周方向に対して左右非対称形に構成したのである。これにより、内放出口と外放出口の周方向の中心線が合致した状態から、キャップを右回りに回転させて形成される放出口の開口形状と、左回りに同角度回転させて形成される放出口の開口形状とが、異なるものとしたのである。
ここで、形成される放出口の開口形状が左右の回転方向によって異なっていると、通常は左右の回転方向によってその開口面積も異なっている。
【０００９】
より具体的には、発明にかかる撒き餌容器は、開閉可能な餌の投入口を有して、その投入口の開放時に投入口を通じて内部に魚の餌を投入することが可能な略円筒形の容器本体と、前記容器本体の両端部に連設されて、その少なくとも一方に、周面に開口する内放出口を有する一対の蓋体と、前記内放出口を有する蓋体に対して周方向に回転操作可能に被せられて取り付けられ、その周面に開口する外放出口を有する前記蓋体と略相似形のキャップと、を備える。
そして、前記キャップの回転操作により前記蓋体の内放出口と前記キャップの外放出口が少なくとも部分的に重なり合う位置でその重なり合う位置に形成される放出口を通じて容器本体に収納された魚の餌が外部へと放出可能となる。
さらに、発明にかかる撒き餌容器では、前記蓋体の内放出口と前記キャップの外放出口の少なくとも一方は周方向に対して左右非対称形でありその内放出口の周方向の中心線とその外放出口の周方向の中心線とが合致した状態から前記キャップを右回りに所定角度回転させてその外放出口と前記蓋体の内放出口が部分的に重なり合うことで形成される放出口の開口形状と、前記キャップを左回りに前記右回りの回転角度と同角度回転させてその外放出口と前記蓋体の内放出口が部分的に重なり合うことで形成される放出口の開口形状とが、異なっている構成を有している。
ここでキャップを左回りと右回りに同角度回転させた際に形成される放出口の開口形状は、任意の回転角度で常に異なっているのが好ましいが、少なくとも特定の回転角度において異なっていれば足りる。
【００１０】
発明にかかる撒き餌容器について、さらに前記蓋体の内放出口と前記キャップの外放出口とは、周方向に左右が反転した形状となっているように構成すると、キャップの左周りと右回りの回転で形成される放出口の開口形状を異ならせることが容易となる。
この場合に、前記蓋体の内放出口の周方向に対する垂直方向への開口幅（開口長）は、その周方向の左回りまたは右回りの方向に連続的に単調増加しており、前記キャップの外放出口の周方向に対する垂直方向への開口幅（開口長）は、その周方向の同方向に連続的に単調減少しているように構成するのが好ましい。このように構成すると、放出口の開口形状および開口面積をキャップの一方向に回転させることで連続的に変化させることが可能であるため、開口形状や開口面積の微調整が容易となる。
【００１１】
発明にかかる撒き餌容器について、さらに前記キャップは、前記蓋体に対して前記容器本体の軸方向に移動可能に取り付けられており、かつばねにより前記容器本体に接近する方向に付勢されており、前記キャップはその周縁に歯を有し、前記容器本体は前記蓋体が連設された端部の周縁に前記キャップの歯と係合可能な歯を有するように構成するのが好ましい。
このようにすると、歯同士の係合により、所望の開口形状および開口面積の放出口が得られる位置でキャップを容器本体に対して固定することができる。そのため、撒き餌容器の使用中に水流の流圧などによりキャップが意図せずに回転して放出口の開口形状が変化してしまうことが防止できる。
またキャップを握って大きな回転トルクを加えると、ばねの付勢に抗してキャップは容器本体の軸方向に容器本体から離反する向きに微少移動し、その周縁に形成された歯が容器本体の歯を連続的に乗り越えてゆく。したがって、キャップは容易に回転させることが可能となる。
【００１２】
その投入口を開閉可能な発明にかかる撒き餌容器の容器本体の構造については、種々の態様が考えられるが、特許文献１と同様に、その周面に開口する内投入口を有する内筒と、前記内筒と同心上にその内筒に対して回転操作可能に被せられ、その周面に開口する外投入口を有する外筒と、を備える構成が、一般的かつ製造容易であるため好ましい。
ここで、前記外筒の回転操作により、前記内筒の内投入口と前記外筒の外投入口が少なくとも部分的に重なり合う位置で前記容器本体の周面は開放されて、その内投入口および外投入口の重なり合う位置に形成される投入口を通じて内部に魚の餌を投入可能となる。また、前記内筒の内投入口と前記外筒の外投入口とが重なり合わない位置で前記容器本体の周面は閉塞され、魚の餌を投入不能となる。
発明にかかる撒き餌容器の蓋体の形状については、略円板形など種々のものが考えられるが、特許文献１と同様に、略円錐形または略半球形（ドーム型）であり、前記容器本体の端部から容器本体の軸方向に突出しているのが、一般的かつ放出口から魚の餌を散布しやすい形状であるため好ましい。
【発明の効果】
【００１３】
発明にかかる撒き餌容器について、蓋体の内放出口とキャップの外放出口の少なくとも一方を、その周方向に対して左右非対称形に構成したので、そのキャップを右回りに回転させる場合と左回りに回転させる場合とで、形成される放出口の開口形状が異なるようになった。そして、これによりキャップを右回転させた場合と左回転させた場合とで、形成される放出口の開口面積も通常は異なるようになった。
したがって、海の状態や釣りたい魚の種類などに応じて、放出口の開口形状や開口面積に変化をつけることが容易となった。
【図面の簡単な説明】
【００１４】
【図１】実施形態の撒き餌容器の斜視図
【図２】実施形態の撒き餌容器の縦断面図
【図３】実施形態の撒き餌容器の中央横断面図
【図４】実施形態の撒き餌容器の一部破断底部側面図
【図５】実施形態の撒き餌容器の底面図
【発明を実施するための形態】
【００１５】
以下、図面を参照しつつ本発明の実施形態について説明する。
図１から図５に示す実施形態の撒き餌容器１は、船上などからの魚釣りの際に、釣糸などに結び付けた状態で水没させることで、魚の餌を水中で徐々に放出し、魚を釣竿の近くへとおびき寄せるために用いられる。実施形態の撒き餌容器１では、その魚の餌の放出範囲や放出速度を容易に調整可能に構成されている。
撒き餌容器１は、略円筒形の容器本体１０と、容器本体１０の両端部にそれぞれ連設された一対の略円錐形の蓋体２０と、一方の蓋体２０に被せられたその蓋体２０とほぼ相似形のキャップ３０と、これらの付属物品から構成される。
【００１６】
図１から図３のように、容器本体１０は、内側に配置された略円筒形の内筒１１と、外側に配置された略円筒形の外筒１２と、からなる二重構造であり、外筒１２は内筒１１に対してその周方向に回転操作可能となっている。外筒１２は内筒１１よりも径が若干大きいほかは、内筒１１とほぼ相似形となっている。
【００１７】
図１から図３のように、内筒１１の周面には、その全周の概ね１／３の範囲、すなわち角度が約１２０度に開口する、平面視で角隅部が丸みを帯びた略矩形の内投入口１１ａが形成されている。また内筒１１の周面の、内投入口１１ａが形成された箇所のほぼ反対側（裏側）に相当する箇所には、略円形の小孔である水抜き孔１１ｂが、縦横に多数並列して形成されている。
外筒１２の周面にも同様に、その全周の概ね１／３の範囲、すなわち角度が約１２０度に開口する、平面視で角隅部が丸みを帯びた略矩形の外投入口１２ａが形成されている。外筒１２の周面の外投入口１２ａの周縁部は、補強等のため肉厚が他の箇所よりも大きく形成されている。また外筒１２の周面の、外投入口１２ａが形成された箇所のほぼ反対側に相当する箇所には、略円形の小孔である水抜き孔１２ｂが、縦横に多数並列して形成されている。
ここで内投入口１１ａと外投入口１２ａはほぼ相似形であり、内筒１１の水抜き孔１１ｂと外筒１２の水抜き孔１２ｂとはほぼ相似形であり、かつその並列のパターンも同様である。
【００１８】
いま、外筒１２を内筒１１に対して回転させて、その外投入口１２ａを内筒１１の内投入口１１ａに重ね合わせると、その重なり合った箇所において容器本体１０の周面は外部に開放されて投入口が形成される。この投入口を通じて、容器本体１０の内部に魚の餌（いわゆるコマシ）を投入可能となっている。
ここで外筒１２の外投入口１２ａと内筒１１の内投入口１１ａのほぼ全体が重なり合った状態で、外筒１２の水抜き孔１２ｂと内筒１１の水抜き孔１１ｂは一対一に合致するように、両水抜き孔１１ｂ、１２ｂの位置が設定されている。これら水抜き孔１１ｂ、１２ｂは、撒き餌容器１の使用時に水没させた際には、水流の通り道として、また撒き餌容器１の使用後に陸揚げした際には、撒き餌容器１の内部に残留する水を排出するものとして機能する。
一方、外筒１２を内筒１１に対してさらに回転させて、図１から図３のように、その外投入口１２ａと内筒１１の内投入口１１ａの重なり合う箇所が存在しないようにすると、容器本体の周面は閉塞されて魚の餌を投入不能となる。また、内部に収納された魚の餌が外部に漏れ出し不能ともなる。
【００１９】
さらに図１のように、内筒１１の周面の一端部の近傍には、内筒１１の径方向へと突出する舌片１１ｃが形成されている。また外筒１２の周面の同じ側の端部の近傍には、外筒１２の周方向に延びる長孔であるガイド孔１２ｃが形成されている。ガイド孔１２ｃの周縁部は、補強等のため肉厚が他の箇所よりも大きく形成されている。
舌片１１ｃはその両側にスリットが入れられるなどして撓み変形可能であり、容器本体１０の組立時には、内筒１１に対して外筒１２を被せると、外筒の周面の壁に押されて内側へと撓んで没入する。そして、内筒１１の舌片１１ｃの位置が、外筒１２のガイド孔１２ｃの位置に合致すると、舌片１１ｃは復元して突出し、そのガイド孔１２ｃへとはまり込む。
こうして外筒１２の回転にともなって、内筒１１の舌片１１ｃはガイド孔１２ｃ上をスライドすることになる。外筒１２の回転範囲は、舌片１１ｃがガイド孔１２ｃの両端部にそれぞれ突き当たる間の範囲に制約される。図示では、ガイド孔１２ｃは、外筒１２の概ね半周の範囲、すなわち角度が約１８０度に形成されているため、外筒１２の回動範囲は約１８０度となる。
ここで舌片１１ｃとガイド孔１２ｃとは、外筒１２の左右一方向への回転限界位置において、内投入口１１ａと外投入口１２ａのほぼ全体が重なり合って投入口が全開状態となるように、形成位置等が設定されている。同様に、外筒１２の左右逆方向への回転限界位置において、内投入口１１ａと外投入口１２ａの重なり合う箇所がほぼなくなって投入口が全閉状態となるように、形成位置等が設定されている。このため、外筒１２を左右に回転させることで、容器本体１０の周面の開放状態と閉塞状態との切り替え作業、および開放位置と閉塞位置での位置決めが容易になっている。
なお、投入口の全開状態および全閉状態で、互いに浅くはまり合って外筒１２が内筒１１に対して仮固定されるような凹凸を、外筒１２や内筒１１に設けてもよい。
【００２０】
また図１および図４のように、内筒１１の前記舌片１１ｃが形成された側とは逆側の端部の周縁部の全周は、外筒１２の端面が突き当たる鍔部１１ｅとなっており、この鍔部１１ｅが外筒１２の外側へと露出している。
鍔部１１ｅの端面には、内筒１１の軸方向の外方へと向く歯１１ｄが多数形成されている。
【００２１】
図１および図２のように、ほぼ相似形の一対の蓋体２０は、その一方が内筒１１の歯１１ｄが形成された側の端部に、その他方が外筒１２のガイド孔１２ｃが形成された側の端部に、それぞれ連設されている。これら蓋体２０により、容器本体１０の両端部は、後述の内放出口２１を除いて閉塞されている。ここで蓋体２０と内筒１１や外筒１２とは、別体で成型した後にねじ止め等の適宜手段で固定してもよいが、合成樹脂などから一体に成型されているのが好ましい。
各蓋体２０の円錐の頂には、それぞれ金属などからなるピン２２が、その軸周りに回転可能に固定されている。ピン２２には、通し孔２２ａが形成されており、ここに撚り戻しなどを介して釣糸を結び付けられるようになっている。その釣糸を介して、撒き餌容器１は船上から水中へと導かれるようになっている。
【００２２】
図１および図２のように、容器本体１０の内筒１１に連設された側の蓋体２０には、その周方向に等間隔をあけて三つ並列して開口する、内放出口２１が形成されている。
図５のように、内放出口２１の形状は、蓋体２０の周面の傾斜方向への開口の幅（長さ）が、蓋体２０の周方向の左右一方向（同図では反時計回り）に向けて連続的に単調増加している略勾玉状の形状である。
図示のように、各内放出口２１は、蓋体２０の全周の概ね１／６強の範囲、すなわち角度が６０度よりわずかに大きく開口しており、隣接する内放出口２１間の間隔は、蓋体２０の全周の概ね１／６弱の範囲、すなわち角度が６０度よりわずかに小さくなっている。
【００２３】
図１および図２のように、キャップ３０は、内筒１１に連設されて内放出口２１が形成された蓋体２０に対し、周方向に回転可能に被せられ、取り付けられている。
図５のように、キャップ３０には、その周方向に等間隔をあけて三つ並列して開口する、外放出口３１が形成されている。この外放出口３１は、前記蓋体２０の内放出口２１を左右反転させた形状、すなわち内放出口２１とは互いに線対称の形状となっている。したがって、外放出口３１の形状は、キャップ３０の周面の傾斜方向への開口の幅（長さ）が、キャップ３０の周方向の左右一方向（同図では反時計回り）に向けて連続的に単調減少している略勾玉状の形状である。
【００２４】
さらに図１および図４のように、キャップ３０の周縁部の全周には、前記内筒１１の歯１１ｄと対向する歯３２が形成されている。
またキャップ３０の頂には、円筒形のボス部３３が形成されており、ここに蓋体２０のピン２２が挿通している。蓋体２０のピン２２の軸方向の中間部には、大径の抜け止め部２２ｂが形成されており、キャップ３０が抜け止めされている。この抜け止め部２２ｂは、キャップ３０のボス部３３内に収容されている。さらにキャップ３０のボス部３３の底と、蓋体２０に固定されたピン２２の抜け止め部２２ｂとの間には、ばね３４が装填されている。なお図示のように、ボス部３３の外周は、外周に沿って並列する複数の三角板形状のリブにより、補強されている。
このばね３４の弾発力により、キャップ３０は容器本体１０に接近する向きに付勢され、そのキャップ３０に形成された歯３２は、容器本体１０の内筒１１に形成された歯１１ｄに係合する。この歯１１ｄと歯３２の係合により、キャップ３０は容器本体１０に対して固定（回り止め）される。この状態から、キャップ３０を握って大きな回転トルクを加えると、ばね３４の付勢に抗してキャップ３０は容器本体１０から離反する向きに容器本体１０の軸方向に微少移動する。そして、キャップ３０の周縁に形成された歯３２と容器本体１０の歯１１ｄとの係合が解除され、歯３２は歯１１ｄを連続的に乗り越えてゆくため、キャップ３０を回転させることが可能となる。
【００２５】
いま、キャップ３０を蓋体２０に対して回転させて、図５のように、その外放出口３１を蓋体２０の内放出口２１に重ね合わせると、その重なり合った箇所において放出口が形成される。その放出口の形状は、キャップ３０の歯３２と内筒１１の歯１１ｄとの係合により固定される。
この状態で撒き餌容器１を水没させると、この放出口を通じて、容器本体１０の内部に収納された魚の餌が水中へと散布可能になる。
【００２６】
ここで、上述のように蓋体２０の内放出口２１とキャップ３０の外放出口３１とは左右非対称形であるため、図５（ａ）のように、その内放出口２１と外放出口３１の中心線をほぼ一致させた状態から、キャップを右回りおよび左回りに同角度だけ回転させた際に、内放出口２１と外放出口３１とが部分的に重なり合うことで形成される放出口の開口形状および開口面積が、図５（ｂ）と図５（ｃ）のように、左右で異なることになる。なお同図では、右回りと左回りに約６０度回転させている。
したがって、撒き餌容器１の使用前に、キャップ３０を左右に回転させるだけで、放出口の開口形状や開口面積を所望の状態へとすばやく調整することが容易となる。こうして、海の状態や釣りたい魚の種類などに応じて、所望の放出速度や放出範囲で魚の餌を散布することが容易となる。
特に、実施形態のように蓋体２０の内放出口２１やキャップ３０の外放出口３１が、その径方向への開口幅が、周方向に連続的かつ一方的に増加または減少している形状の場合には、放出口の開口形状や開口面積を連続的に変化させることができる。このため、放出口の微調整が容易である。
なお、本実施形態では、内放出口２１と外放出口３１の大きさ、配列等が上記段落００２２、００２３で述べたものであるため、図５（ａ）の状態から、キャップ３０を左右いずれの方向でも約１２０度回転させると、図５（ａ）と同じ状態に戻る。
【００２７】
今回開示された実施形態はすべての点で例示であって制限的なものではないと考慮されるべきである。本発明の範囲は特許請求の範囲によって示され、特許請求の範囲と均等の意味および範囲内でのすべての修正と変形を含むものであることが意図される。
【００２８】
たとえば実施形態では、容器本体１０の一方の端部に連設された蓋体２０のみに内放出口２１を設けているが、両方の蓋体２０に内放出口２１を設け、それぞれにキャップ３０を被せる構成でもよい。
また蓋体２０の形状も、実施形態のような略円錐形に限定されず、略半球形（ドーム型）や平坦な略円板形などでもよく、キャップ３０の形状もこれとほぼ相似形となるように適宜変更可能である。水抜き孔は、蓋体２０やキャップ３０にも形成してもよい。
【００２９】
蓋体２０の内放出口２１とキャップ３０の外放出口３１の形状は、実施形態の略勾玉形状に限定されず、少なくともいずれか一方が、周方向に対して左右非対称形であればよい。すなわち、他方は周方向に対して左右対称形でもよい。
このようにすると、キャップ３０を左右に同角度だけ回転させた際に内放出口２１と外放出口３１とが部分的に重なり合うことで形成される放出口の開口形状が、その左回りと右回りとで異なることになる。またこの場合、通常は開口面積も異なってくるため、魚の餌の放出範囲や放出速度等の調整が容易となる。
具体的には、内放出口２１と外放出口３１の一方の形状を、周方向に左右対称となるように、その中心線が蓋体２０やキャップ３０の周面の傾斜方向と一致するように配置された、二等辺三角形、正三角形、等脚台形、長方形、正方形、正多角形、円形、楕円形、長円形などとすることが考えられる。そしてその他方の形状を、左右非対称形、すなわち不等辺三角形、不等脚台形、非正多角形などとすることが考えられる。またその開口形状が、二等辺三角形、正三角形、等脚台形、長方形、正方形、正多角形、円形、楕円形、長円形などの左右対称形であっても、これを蓋体２０やキャップ３０に傾けた状態、すなわちこれらの図形の中心線（対称線）が蓋体２０やキャップ３０の周面の傾斜方向と一致しない状態で配置すると、蓋体２０やキャップ３０の周方向に対しては、左右非対称形とすることが可能である。
内放出口２１や外放出口３１の形状は、その周面の傾斜方向（周面に対する垂直方向）への開口幅が左回りや右回りに連続的に減少または増加している形状である必要はなく、たとえば段階的に減少または増加するような階段状の形状としてもよい。
また連続的に減少または増加している場合でも、単調に減少または増加している必要はなく、その増加率または減少率が変動していてもよい。さらに左右非対称形である限りにおいて、開口の幅が増減を繰り返すような波型形状としてもよい。
内放出口２１や外放出口３１の数や配置も実施形態に限定されず、たとえば２つ以下や４つ以上設けてもよいし、不均等な間隔で配置してもよい。また、これらを同心上に複数列に設けてもよい。
さらにキャップ３０の特定の回転位置において、その外放出口３１と内放出口２１の重なり合いがないように外放出口３１と内放出口２１の寸法等を調整して、容器本体１０の端面を蓋体２０とキャップ３０で完全に閉鎖できるようにしてもよい。
また逆に、キャップ３０がいかなる回転位置にあっても、外放出口３１と内放出口２１に必ず重なり合う箇所が存在するようにこれらの寸法等を調整してもよい。ちなみに実施形態では、図５等からもわかるように、外放出口３１と内放出口２１とがわずかであれ必ず重なり合うようになっている。
【００３０】
容器本体１０の構造も開閉可能な投入口を有する限りにおいて、特に限定されない。たとえば、二重構造でない単層構造の円筒体の周面に投入口を設け、その周面にシャッター板を被せ、そのシャッター板のスライドにより投入口を開閉可能に構成してもよい。
また、単層構造の円筒体の端部を投入口として、その端部に蓋体をヒンジ結合して、蓋体の回転により投入口を開閉するように構成してもよい。
また円筒体を上半部と下半部に分割し、これらをヒンジ結合して、上半部と下半部をヒンジ部でＬ字型に屈曲させる、すなわち互いの軸心を垂直にすると、両者の間に投入口が開口し、上半部と下半部をヒンジ部でＩ字型に伸ばす、すなわち互いの軸心を一致させると、投入口が閉鎖するような構造としてもよい。
容器本体１０が二重構造である場合にも、その細部の構造は適宜変更可能である。たとえば実施形態では、キャップ３０の歯３２と噛み合う歯１１ｄは、内筒１１に設けられているが、外筒１２に設けてもよい。無論、歯３２と歯１１ｄは省略可能であるし、他の公知の回り止め機構をキャップ３０に適用してもよい。なお、ここでいう歯とは、互いに噛み合い係合可能な構造の総称を意味し、図示のような、いわゆるギザギザ形状に限定されるものではない。
また内筒１１の舌片１１ｃと外筒１２のガイド孔１２ｃからなる回動範囲制限機構は、省略可能であるし、他の公知の回動範囲制限機構を内筒１１と外筒１２に適用してもよい。
内投入口１１ａや外投入口１２ａの形状は、矩形に限られず、たとえば長円形としてもよい。水抜き孔１１ｂ、１２ｂの形状も、円形に限られず、たとえば矩形としてもよいし、その並列パターンも図示のものに限定されない。
撒き餌容器１の、材質や寸法等は無論限定されない。たとえば容器本体１０を金属線などから編成された籠としてもよい。
【符号の説明】
【００３１】
１  撒き餌容器
１０  容器本体
１１  内筒
１１ａ  内投入口
１１ｂ  水抜き孔
１１ｃ  舌片
１１ｄ  歯
１１ｅ  鍔部
１２  外筒
１２ａ  外投入口
１２ｂ  水抜き孔
１２ｃ  ガイド孔
２０  蓋体
２１  内放出口
２２  ピン
２２ａ  通し孔
２２ｂ  抜け止め部
３０  キャップ
３１  外放出口
３２  歯
３３  ボス部
３４  ばね
【図１】
2014117215.tif 000003
【図２】
2014117215.tif 000004
【図３】
2014117215.tif 000005
【図４】
2014117215.tif 000006
【図５】
2014117215.tif 000007